【手続補正書】
【提出日】平成19年8月7日(2007.8.7)
【手続補正１】
【補正対象書類名】明細書
【補正対象項目名】全文
【補正方法】変更
【補正の内容】
【書類名】  明細書
【発明の名称】  光ヘッドおよび光ピックアップ
【特許請求の範囲】
【請求項１】
レーザ光が入射される色消しレンズと、
前記色消しレンズを透過したレーザ光を光ディスクに集光する対物レンズと、
前記色消しレンズおよび前記対物レンズの光軸が一致するように前記色消しレンズおよび前記対物レンズを保持するレンズホルダと、
前記色消しレンズおよび前記対物レンズを保持する前記レンズホルダを、前記光ディスクのフォーカス方向および／またはトラッキング方向に移動させるアクチュエータと
を有する
光ヘッド。
【請求項２】
前記レンズホルダは、
前記色消しレンズを保持する第１のレンズホルダと、
前記対物レンズを保持する第２のレンズホルダと
を有し、
前記第１および第２のレンズホルダは、前記色消しレンズおよび前記対物レンズの光軸が一致または実質的に一致するように互いに固着されている
請求項１記載の光ヘッド。
【請求項３】
前記色消しレンズに入射される前記レーザ光は、半導体レーザから出力された青色または青紫色のレーザ光である
請求項１記載の光ヘッド。
【請求項４】
レーザ光が入射される色消しレンズと、
前記色消しレンズを透過したレーザ光を光ディスクに集光する対物レンズと、
前記色消しレンズおよび前記対物レンズを前記光ディスクのトラッキング方向に移動させる第１のアクチュエータと、
前記色消しレンズおよび前記対物レンズのうち前記対物レンズを前記光ディスクのフォーカス方向に移動させる第２のアクチュエータと
を有する
光ヘッド。
【請求項５】
前記色消しレンズを保持する第１のレンズホルダと、
前記対物レンズを保持する第２のレンズホルダと、
前記第１のレンズホルダと前記第２のレンズホルダとの間に介在する弾性部材と
を有する
請求項４記載の光ヘッド。
【請求項６】
前記色消しレンズに入射される前記レーザ光は、半導体レーザから出力された青色または青紫色のレーザ光である
請求項４記載の光ヘッド。
【請求項７】
レーザと、
前記レーザからのレーザ光を光ディスクに集光する光ヘッドと、
前記光ディスクで反射した前記レーザ光を受光する光検出器と
を有する光ピックアップであって、
前記光ヘッドは、
前記レーザからのレーザ光が入射される色消しレンズと、
前記色消しレンズを透過したレーザ光を前記光ディスクに集光する対物レンズと、
前記色消しレンズおよび前記対物レンズの光軸が一致するように前記色消しレンズおよび前記対物レンズを保持するレンズホルダと、
前記色消しレンズおよび前記対物レンズを保持する前記レンズホルダを、前記光ディスクのフォーカス方向および／またはトラッキング方向に移動させるアクチュエータと
を有する
光ピックアップ。
【請求項８】
前記レンズホルダは、
前記色消しレンズを保持する第１のレンズホルダと、
前記対物レンズを保持する第２のレンズホルダと
を有し、
前記第１および第２のレンズホルダは、前記色消しレンズおよび前記対物レンズの光軸が一致または実質的に一致するように互いに固着されている
請求項７記載の光ピックアップ。
【請求項９】
前記レーザは青色または青紫色のレーザ光を出力する半導体レーザである
請求項７記載の光ピックアップ。
【請求項１０】
レーザと、
前記レーザからのレーザ光を光ディスクに集光する光ヘッドと、
前記光ディスクで反射した前記レーザ光を受光する光検出器と
を有する光ピックアップであって、
前記光ヘッドは、
前記レーザからのレーザ光が入射される色消しレンズと、
前記色消しレンズを透過したレーザ光を前記光ディスクに集光する対物レンズと、
前記色消しレンズおよび前記対物レンズを前記光ディスクのトラッキング方向に移動させる第１のアクチュエータと、
前記色消しレンズおよび前記対物レンズのうち前記対物レンズを前記光ディスクのフォーカス方向に移動させる第２のアクチュエータと
を有する
光ピックアップ。
【請求項１１】
前記光ヘッドは、
前記色消しレンズを保持する第１のレンズホルダと、
前記対物レンズを保持する第２のレンズホルダと、
前記第１のレンズホルダと前記第２のレンズホルダとの間に介在する弾性部材と
を有する
請求項１０記載の光ピックアップ。
【請求項１２】
前記レーザは青色または青紫色のレーザ光を出力する半導体レーザである
請求項１０記載の光ピックアップ。
【発明の詳細な説明】
【０００１】
【発明の属する技術分野】
本発明は、光ヘッドと、光ヘッドを有する光ピックアップに関する。
【０００２】
【従来の技術】
特開２０００−１９３８８号公報には、色収差補正用光学素子およびこれを具備する光学ピックアップ装置の発明が開示されている。
【０００３】
光ディスクの記録容量を大きくするため、光ピックアップの光源の出力光の波長を短くすることが望まれる。例えば、コンパクトディスク（ＣＤ：Compact Disc）では、半導体レーザの出力光の波長は約７８０ｎｍであり、ＣＤよりも記録密度が大きいＤＶＤ（Digital Video Disc）では、半導体レーザの出力光の波長は約６５０ｎｍである。
最近では、波長が約４０５ｎｍの青色または青紫色のレーザ光を放射する半導体レーザ（ＬＤ）を光ピックアップに搭載することが検討されている。
【０００４】
【発明が解決しようとする課題】
半導体レーザの波長が４５０ｎｍよりも短くなると、一般的にレンズは色収差が生じ易くなる。このため、当該レンズの色収差を打ち消すような色収差補正用の色消しレンズを光路上に配置することが望ましい。
本発明の目的は、色消しレンズを有する光ヘッドと、この光ヘッドを有する光ピックアップとを提供することにある。
【０００５】
【課題を解決するための手段】
本発明に係る第１の光ヘッドは、レーザ光が入射される色消しレンズと、前記色消しレンズを透過したレーザ光を光ディスクに集光する対物レンズと、前記色消しレンズおよび前記対物レンズの光軸が一致するように前記色消しレンズおよび前記対物レンズを保持するレンズホルダと、前記色消しレンズおよび前記対物レンズを保持する前記レンズホルダを、前記光ディスクのフォーカス方向および／またはトラッキング方向に移動させるアクチュエータとを有する。
【０００６】
本発明に係る第１の光ヘッドでは、好適には、前記レンズホルダは、前記色消しレンズを保持する第１のレンズホルダと、前記対物レンズを保持する第２のレンズホルダとを有し、前記第１および第２のレンズホルダは、前記色消しレンズおよび前記対物レンズの光軸が一致または実質的に一致するように互いに固着されている。
【０００７】
本発明に係る第１の光ヘッドでは、好適には、前記色消しレンズに入射される前記レーザ光は、半導体レーザから出力された青色または青紫色のレーザ光である。
【０００８】
本発明に係る第２の光ヘッドは、レーザ光が入射される色消しレンズと、前記色消しレンズを透過したレーザ光を光ディスクに集光する対物レンズと、前記色消しレンズおよび前記対物レンズを前記光ディスクのトラッキング方向に移動させる第１のアクチュエータと、前記色消しレンズおよび対物レンズのうち前記対物レンズを前記光ディスクのフォーカス方向に移動させる第２のアクチュエータとを有する。
【０００９】
本発明に係る第２の光ヘッドは、好適には、前記色消しレンズを保持する第１のレンズホルダと、前記対物レンズを保持する第２のレンズホルダと、前記第１のレンズホルダと前記第２のレンズホルダとの間に介在する弾性部材とを有する。
【００１０】
本発明に係る第２の光ヘッドでは、好適には、前記色消しレンズに入射される前記レーザ光は、半導体レーザから出力された青色または青紫色のレーザ光である。
【００１１】
本発明に係る第１の光ピックアップは、本発明に係る第１の光ヘッドを含み、レーザと、前記レーザからのレーザ光を光ディスクに集光する光ヘッドと、前記光ディスクで反射した前記レーザ光を受光する光検出器とを有する光ピックアップであって、前記光ヘッドは、前記レーザからのレーザ光が入射される色消しレンズと、前記色消しレンズを透過したレーザ光を前記光ディスクに集光する対物レンズと、前記色消しレンズおよび前記対物レンズの光軸が一致するように前記色消しレンズおよび前記対物レンズを保持するレンズホルダと、前記色消しレンズおよび前記対物レンズを保持する前記レンズホルダを、前記光ディスクのフォーカス方向および／またはトラッキング方向に移動させるアクチュエータとを有する。
【００１２】
本発明に係る第１の光ピックアップでは、好適には、前記レンズホルダは、前記色消しレンズを保持する第１のレンズホルダと、前記対物レンズを保持する第２のレンズホルダとを有し、前記第１および第２のレンズホルダは、前記色消しレンズおよび対物レンズの光軸が一致または実質的に一致するように互いに固着されている。
【００１３】
本発明に係る第１の光ピックアップでは、好適には、前記レーザは、青色または青紫色のレーザ光を出力する半導体レーザである。
【００１４】
本発明に係る第２の光ピックアップは、本発明に係る第２の光ヘッドを含み、レーザと、前記レーザからのレーザ光を光ディスクに集光する光ヘッドと、前記光ディスクで反射した前記レーザ光を受光する光検出器とを有する光ピックアップであって、前記光ヘッドは、前記レーザからのレーザ光が入射される色消しレンズと、前記色消しレンズを透過したレーザ光を前記光ディスクに集光する対物レンズと、前記色消しレンズおよび前記対物レンズを前記光ディスクのトラッキング方向に移動させる第１のアクチュエータと、前記色消しレンズおよび対物レンズのうち前記対物レンズを前記光ディスクのフォーカス方向に移動させる第２のアクチュエータとを有する。
【００１５】
本発明に係る第２の光ピックアップでは、好適には、前記光ヘッドは、前記色消しレンズを保持する第１のレンズホルダと、前記対物レンズを保持する第２のレンズホルダと、前記第１のレンズホルダと前記第２のレンズホルダとの間に介在する弾性部材とを有する。
【００１６】
本発明に係る第２の光ピックアップでは、好適には、前記レーザは、青色または青紫色のレーザ光を出力する半導体レーザである。
【００１７】
上記した本発明に係る第１および第２の光ヘッドでは、対物レンズは、色収差補正用の色消しレンズを透過したレーザ光を光ディスクに集光するので、対物レンズの色収差を小さくすることができ、光ヘッドの性能を向上させることが可能である。
【００１８】
【発明の実施の形態】
以下、本発明の実施の形態を、添付図面を参照して説明する。
なお、本発明の光ヘッド、この光ヘッドを用いた光ピックアップの実施の形態について述べる。
【００１９】
光ヘッド１１０
図１は、本発明に係る光ヘッドの第１の実施の形態を示す概略的な構成図である。
この光ヘッド１１０は、凹レンズ１１と、凸レンズ１２，１４，１６と、第１のレンズホルダ１８と、第２のレンズホルダ１９と、フォーカシング・アクチュエータ１５Ｆと、トラッキング・アクチュエータ１３Ｔとを有する。
【００２０】
凹レンズ１１および凸レンズ１２は、対物レンズの色収差補正用の色消しレンズを構成しており、第１のレンズホルダ１８により保持されている。
隣接して配置されている１対の平凸レンズ１４，１６は、対物レンズを構成しており、第２のレンズホルダ１９により保持されている。この対物レンズの開口数ＮＡは、約０．８５である。
これらのレンズ１１，１２，１４，１６は、図１において破線で示した光軸ＬＡが一致または実質的に一致するように、第１および第２のレンズホルダ１８，１９に保持されている。
【００２１】
第１のレンズホルダ１８の内壁と第２のレンズホルダ１９の外壁は、固着されている。第１のレンズホルダ１８の外周には、コイル１３Ａ，１５Ａが取り付けてある。
【００２２】
コイル１３Ａと、このコイル１３Ａの近傍に非接触状態で配置された磁石１３Ｂとにより、トラッキング・アクチュエータ１３Ｔが構成されている。このトラッキング・アクチュエータ１３Ｔにより、レンズ１１，１２，１４，１６が光ディスク８０のトラッキング方向（半径方向または略半径方向）に一体的に移動し、トラッキングサーボが行われる。
【００２３】
コイル１５Ａと、このコイル１５Ａの近傍に非接触状態で配置された磁石１５Ｂとにより、フォーカシング・アクチュエータ１５Ｆが構成されている。このフォーカシング・アクチュエータ１５Ｆにより、レンズ１１，１２，１４，１６が光ディスク８０の記録面に対して垂直または略垂直なフォーカス方向に一体的に移動し、フォーカスサーボが行われる。
フォーカシング・アクチュエータ１５Ｆおよびトラッキング・アクチュエータ１３Ｔにより、２軸アクチュエータが構成されている。
【００２４】
平行光のレーザ光ＬＢは、凹レンズ１１の屈折（入射）面Ｓ１に供給（入射）される。凹レンズ１１のうち屈折面Ｓ１の背面側（出射側）は、凸レンズ１２の表面（入射面）Ｓ２に固着されている。レーザ光ＬＢの波長は、一例として、４０５ｎｍまたは略４０５ｎｍとする。
凹レンズ１１は、屈折（入射）面Ｓ１から入射したレーザ光を透過して凸レンズ１２の屈折（入射）面Ｓ２に供給する。
凸レンズ１２は、屈折面Ｓ２から入射したレーザ光を透過して屈折（出射）面Ｓ３から平行光のレーザ光を出射し、この平行光のレーザ光を、対物レンズを構成する平凸レンズ１４の屈折（入射）面Ｓ４に供給する。
【００２５】
凹レンズ１４は、屈折（入射）面Ｓ４から入射したレーザ光を透過して屈折（出射）面Ｓ５から出射し、出射されたレーザ光を、平凸レンズ１４とともに対物レンズを構成する平凸レンズ１６の屈折（入射）面Ｓ６に供給する。
平凸レンズ１６は、屈折（入射）面Ｓ６から入射したレーザ光を透過して平坦な屈折（出射）面Ｓ７から出射し、出射されたレーザ光を光ディスク８０の記録面８５のトラックに供給する。
このようにして、光ヘッド１１０に入射したレーザ光ＬＢは、光ディスク８０の記録面８５に集光される。
【００２６】
光ディスク８０は、例えばＤＶＤとし、記録面８５は、第１のディスク基板８１と第２のディスク基板８２との間に位置している。第１および第２のディスク基板８１，８２の素材は、一例としてポリカーボネート（ＰＣ）であり、その屈折率ｎは約１．６である。第２のディスク基板８２は、例えばオーバーコートとする。
第１のディスク基板８１のポリカーボネートの厚さは、一例として約０．１ｍｍとし、第２のディスク基板８２の厚さは、一例として約１．２ｍｍとし、凸レンズ１６の屈折面Ｓ７と光ディスク８０の表面との間の距離（エアギャップ）は、一例として約０．１５１ｍｍとする。
【００２７】
図２および図３は、図１中のレンズ１１，１２，１４，１６の特性を示す説明図である。
例えば、屈折面Ｓ１の軸上間隔は、光軸ＬＡにおける屈折面Ｓ１と、この屈折面Ｓ１に向かい合う屈折面Ｓ２との間隔を示している。同様に、屈折面Ｓ２の軸上間隔は、光軸ＬＡにおける屈折面Ｓ２と、この屈折面Ｓ２に向かい合う屈折面Ｓ３との間隔を示している。
【００２８】
屈折面Ｓ１の曲率半径は、約１２．５２７ｍｍであり、−符号を付けることにより曲線または曲面が図１中で下に凸であること（光軸ＬＡに沿って光が進行する向きと逆向きに凸であること）を示している。
屈折面Ｓ４〜Ｓ６での変数Ｒ，Ｋ，Ａ〜Ｇは、次式（１）に示す非球面式での係数を示している。なお、Ｅ−２は１０-2を示しており、Ｅ−３は１０-3を示しており、同様にして、Ｅ−６は１０-6を示している。
【００２９】
【数１】
Ｘ＝Ｙ2／〔Ｒ＋Ｒ｛１−（１＋Ｋ）（Ｙ／Ｒ）2｝1/2〕
＋ＡＹ4＋ＢＹ6＋ＣＹ8＋ＤＹ10＋ＥＹ12＋ＦＹ14＋ＧＹ16    …（１）
【００３０】
上式（１）において、Ｘは、面頂点からの深さである。Ｙは、光軸からの高さである。Ｒは、近軸での曲率半径である。Ｋは、円錐定数である。
ＡはＹ4項の非球面係数である。ＢはＹ6項の非球面係数である。
ＣはＹ8項の非球面係数である。ＤはＹ10項の非球面係数である。
ＥはＹ12項の非球面係数である。ＦはＹ14項の非球面係数である。
ＧはＹ16項の非球面係数である。
【００３１】
図４は、図１の光ヘッド１１０において、色消しレンズ１１，１２および対物レンズ１４，１６の光軸ずれと波面収差との関係を示す特性図である。
光軸ずれ（偏芯）が無い場合の波面収差は０．００９λrms である。一方、光軸ずれが０．２ｍｍである場合の波面収差は０．０２２λrms であり、波面収差の低減が望まれる。
図５〜図７は、色消しレンズ１１，１２および対物レンズ１４，１６において、光軸ずれが０．２ｍｍである場合における、レーザ光の同一位相の波面を示す説明図である。波長４０４ｎｍおよび４０６ｎｍで波面が不均一になっており、光軸ずれを小さくすることが望まれる。
【００３２】
なお、対物レンズ１４，１６のみを用いる場合、レーザ光ＬＢの波長、４０４ｎｍ、４０５ｎｍおよび４０６ｎｍの周波数成分が１：１：１であるときは、対物レンズ１４，１６の波面収差は０．０５１λrms となる。
半導体レーザは、数ｎｍ程度の波長幅を有する場合があり、また、温度変化により中心波長が数ｎｍ移動するモードホッピングが生じる場合がある。
このため、対物レンズ１４，１６と色収差補正用の色消しレンズ１１，１２とを組み合わせて使用することが望ましい。
【００３３】
光ヘッド１１０では、色消しレンズ１１，１２と対物レンズ１４，１６とを光軸が一致または実質的に一致するようにレンズホルダ１８，１９に保持することで、色消しレンズ１１，１２と対物レンズ１４，１６とがトラッキング方向に別個に移動可能である場合に比べ、光軸ずれに基づく波面収差の発生を防止することができ、光ヘッドの性能および信頼性を向上可能である。
レンズホルダ１８，１９に色消しレンズ１１，１２と対物レンズ１４，１６とを保持する場合、組立て誤差を一例として０．１ｍｍ以下とすることができ、光軸ずれを小さく抑えることが可能である。
【００３４】
一例として、光ヘッド１１０の稼動部を構成する色消しレンズ１１，１２と、対物レンズ１４，１６と、レンズホルダ１８，１９と、コイル１３Ａ，１５Ａとの総重量を５００ｍｇ以下とし、トラッキングなどにおいて移動する稼動部を小型化および軽量化することで、２軸アクチュエータ１３Ｔ，１５Ｆのサーボ特性を向上可能である。
【００３５】
光ヘッド１２０
図８は、本発明に係る光ヘッドの第２の実施の形態を示す概略的な構成図である。
この光ヘッド１２０は、凹レンズ１１と、凸レンズ１２と、平凸レンズ１４，１６と、第１のレンズホルダ２８と、第２のレンズホルダ２９と、フォーカシング・アクチュエータ２５Ｆと、トラッキング・アクチュエータ２３Ｔと、弾性部材２７とを有する。なお、図８の光ヘッド１２０において、図１の光ヘッド１１０と同一構成部分には同一符号を付しており、同一構成部分の説明を適宜省略する。
【００３６】
凹レンズ１１および凸レンズ１２は、対物レンズの色収差補正用の色消しレンズを構成しており、第１のレンズホルダ２８により保持されている。
平凸レンズ１４，１６は、対物レンズを構成しており、第２のレンズホルダ２９により保持されている。この対物レンズの開口数ＮＡは約０．８５である。
【００３７】
第１のレンズホルダ２８の下面には、弾性部材２７が取り付けてある。
弾性部材２７は、例えば板バネにより構成され、凸レンズ１２の屈折（射出）面Ｓ３と凸レンズ１４の屈折（入射）面Ｓ４とが接触すること、および／または、衝突することを防止する働きをする。また、弾性部材２７は、レンズホルダ２８，２９とが接触すること、および／または、衝突することを防止する働きをする。
第１のレンズホルダ２８の外周には、コイル２３Ａが取り付けてある。
第２のレンズホルダ２９の外周には、コイル２５Ａが取り付けてある。
【００３８】
コイル２３Ａと、このコイル２３Ａの近傍に非接触状態で配置された磁石２３Ｂとにより、トラッキング・アクチュエータ２３Ｔが構成されている。このトラッキング・アクチュエータ２３Ｔにより、レンズ１１，１２，１４，１６が光ディスク８０のトラッキング方向に一体的に移動し、トラッキングサーボが行われる。
【００３９】
コイル２５Ａと、このコイル２５Ａの近傍に非接触状態で配置された磁石２５Ｂとにより、フォーカシング・アクチュエータ２５Ｆが構成されている。このフォーカシング・アクチュエータ２５Ｆにより、対物レンズ１４，１６が光ディスク８０の記録面に対して垂直または略垂直なフォーカス方向に一体的に移動し、フォーカスサーボが行われる。
フォーカシング・アクチュエータ２５Ｆおよびトラッキング・アクチュエータ２３Ｔにより、２軸アクチュエータが構成されている。
【００４０】
平行光のレーザ光ＬＢは、凹レンズ１１の屈折（入射）面Ｓ１に供給（入射）される。凹レンズ１１のうち屈折面Ｓ１の背面（出射）側は、凸レンズ１２の表面（入射面）Ｓ２に固着されている。レーザ光ＬＢの波長は、一例として、４０５ｎｍまたは略４０５ｎｍとする。
凹レンズ１１は、屈折（入射）面Ｓ１から入射したレーザ光を透過して凸レンズ１２の屈折（入射）面Ｓ２に供給する（入射させる）。
凸レンズ１２は、屈折面Ｓ２から入射したレーザ光を透過して屈折面Ｓ３から平行光のレーザ光を出射し、この平行光のレーザ光を平凸レンズ１４の屈折面（凸面、または、入射面）Ｓ４に供給する（入射させる）。
【００４１】
平凸レンズ１４は、屈折面Ｓ４から入射したレーザ光を透過して屈折面Ｓ５から出射し、出射されたレーザ光を平凸レンズ１６の屈折面（凸面、または、入射面）Ｓ６に供給する（入射させる）。
平凸レンズ１６は、屈折面Ｓ６から入射したレーザ光を透過して平坦な屈折面Ｓ７から出射し、出射されたレーザ光を光ディスク８０の記録面８５のトラックに供給する（入射させる）。このようにして、光ヘッド１２０に入射したレーザ光ＬＢは、光ディスク８０の記録面８５に集光される。
【００４２】
図８に示す光ヘッド１２０では、レンズ１１，１２をレンズホルダ２８に保持しており、レンズ１４，１６をレンズホルダ２９に保持しており、レンズ１１，１２，１４，１６の光軸ＬＡは一致または実質的に一致している。
フォーカシング・アクチュエータ２５Ｆは、レンズ１４，１６をフォーカス方向に移動させればよいので、レンズ１１，１２，１４，１６を一体的にフォーカス方向に移動させる場合に比べ、移動させるレンズ質量を小さくすることができ、フォーカスサーボ特性を向上可能である。
【００４３】
光ピックアップ１１１
図９は、本発明に係る光ヘッドを有する光ピックアップの第１の実施の形態を示す概略的な構成図である。
この光ピックアップ１１１は、半導体レーザ４と、コリメータレンズ５と、ビームスプリッタ３と、１／４波長板（λ／４板）９と、集光レンズ６と、光検出器８と、光ヘッド１１０とを有する。
光ヘッド１１０の構造については、図１〜図７に関連して既に説明しているので、その説明を省略する。
【００４４】
半導体レーザ４は、駆動信号ＳＬに基づいて直線偏光の青色または青紫色のレーザ光を出力し、出力レーザ光をコリメータレンズ５に供給する（入射させる）。
コリメータレンズ５は、半導体レーザ４からの青色または青紫色のレーザ光を平行光にしてビームスプリッタ３に供給する。
ビームスプリッタ３は、コリメータレンズ５からのレーザ光を透過して１／４波長板９を介して光ヘッド１１０に供給する（入射させる）。
【００４５】
光ヘッド１１０において、色消しレンズ１１，１２は１／４波長板９からの平行光のレーザ光を透過して対物レンズ１４，１６に供給する。対物レンズ１４，１６は、色消しレンズ１１，１２からの透過レーザ光を集光して光ディスク８０のトラックを照射する。このようにして、半導体レーザ４からのレーザ光は、光ディスク８０の記録面８５に集光される。
【００４６】
例えば、光ヘッド１１０のトラッキング・アクチュエータ１３Ｔにはトラッキング誤差信号（またはトラッキング誤差信号を位相補償および／または周波数補償した信号）が供給され、トラッキング・アクチュエータ１３Ｔを用いてトラッキング制御が行われる。
例えば、光ヘッド１１０のフォーカシング・アクチュエータ１５Ｆにはフォーカス誤差信号（またはフォーカス誤差信号を位相補償および／または周波数補償した信号）が供給され、フォーカシング・アクチュエータ１５Ｆを用いてフォーカス制御が行われる。
【００４７】
また、光ヘッド１１０は、光ディスク８０で反射したレーザ光を、１／４波長板９を介してビームスプリッタ３に戻す。
ビームスプリッタ３は、光ヘッド１１０からのレーザ光（戻りレーザ光）が入射され、入射されたレーザ光を反射して集光レンズ６に供給する。
集光レンズ６は、ビームスプリッタ３からのレーザ光を光検出器８に供給し、当該レーザ光を受光面（または受光部）に集光する。
光検出器８は、集光レンズ６からのレーザ光を受光部で受光して出力信号ＳＡを生成する。光検出器８は、例えば４分割光検出器により構成する。
【００４８】
上記光ピックアップ１１１では、光ヘッド１１０は色消しレンズ１１、１２および対物レンズ１４、１６をレンズホルダ１８，１９に保持して一体的に移動させる構成なので、レンズ間の光軸ずれを小さくすることができ、収差を低減可能であり、高密度の記録再生を行うことが可能である。
【００４９】
光ピックアップ１２１
図１０は、本発明に係る光ヘッドを有する光ピックアップの第２の実施の形態を示す概略的な構成図である。
この光ピックアップ１２１は、半導体レーザ４と、コリメータレンズ５と、ビームスプリッタ３と、１／４波長板（λ／４板）９と、集光レンズ６と、光検出器８と、光ヘッド１２０とを有する。光ヘッド１２０の構造については、図８に関連して既に説明しているので、その説明を省略する。
【００５０】
半導体レーザ４は、駆動信号ＳＬに基づいて直線偏光の青色または青紫色のレーザ光を出力し、出力レーザ光をコリメータレンズ５に供給する。
コリメータレンズ５は、半導体レーザ４からの青色または青紫色のレーザ光を平行光にしてビームスプリッタ３に供給する。
ビームスプリッタ３は、コリメータレンズ５からのレーザ光を透過して１／４波長板９を介して光ヘッド１２０に供給する。
【００５１】
光ヘッド１２０において、色消しレンズ１１，１２は、１／４波長板９からの平行光のレーザ光を透過して対物レンズ１４，１６に供給する。対物レンズ１４，１６は、色消しレンズ１１，１２からの透過レーザ光を集光して光ディスク８０のトラックを照射する。このようにして、半導体レーザ４からのレーザ光は、光ディスク８０の記録面８５に集光される。
【００５２】
例えば、光ヘッド１２０のトラッキング・アクチュエータ２３Ｔにはトラッキング誤差信号（またはトラッキング誤差信号を位相補償および／または周波数補償した信号）が供給され、トラッキング・アクチュエータ２３Ｔを用いてトラッキング制御が行われる。
例えば、光ヘッド１２０のフォーカシング・アクチュエータ２５Ｆにはフォーカス誤差信号（またはフォーカス誤差信号を位相補償および／または周波数補償した信号）が供給され、フォーカシング・アクチュエータ２５Ｆを用いてフォーカス制御が行われる。
【００５３】
また、光ヘッド１２０は、光ディスク８０で反射したレーザ光を、１／４波長板９を介してビームスプリッタ３に戻す。
ビームスプリッタ３は、光ヘッド１２０からのレーザ光（戻りレーザ光）が入射され、入射されたレーザ光を反射して集光レンズ６に供給する。
集光レンズ６は、ビームスプリッタ３からのレーザ光を光検出器８に供給し、当該レーザ光を受光面（または受光部）に集光する。
光検出器８は、集光レンズ６からのレーザ光を受光部で受光して出力信号ＳＡを生成する。光検出器８は、例えば４分割光検出器により構成する。
【００５４】
上記光ピックアップ１２１では、光ヘッド１２０は色消しレンズ１１、１２および対物レンズ１４、１６をトラッキング方向に一体的に移動させるようになっており、これによりレンズ間の光軸ずれを小さくすることができ、収差を低減可能であり、高密度の記録再生を行うことが可能である。
上記光ピックアップ１２１では、光ヘッド１２０は色消しレンズをレンズホルダ２８に保持し、対物レンズをレンズホルダ２９に保持し、対物レンズをフォーカス方向に移動可能な構成としたので、フォーカス制御の精度を向上可能であり、これにより高密度の記録再生を行うことが可能である。
【００５５】
なお、光ヘッド１２０では、レンズホルダ２８，２９をフォーカス方向に延びた軸棒または案内棒を介して接続してスライド機構を形成し、レンズホルダ２８，２９が一体的にトラッキング方向に移動すると共に、レンズホルダ２８に対してレンズホルダ２９が軸棒または案内棒に沿って移動する構成としてもよい。
【００５６】
また、光ヘッド１１０，１２０では、平凸レンズ１４の入射面Ｓ４である凸面と凸レンズ１２の出射面Ｓ３である凸面とが対向しているが、凸レンズ１２と凹レンズ１１の位置を反転し、凹レンズ１１の出射面である凹面と平凸レンズ１４の入射面Ｓ４である凸面とが対向する構成としてもよい。このようにすることで、光ヘッドの更なる小型化が可能である。
また、上記実施の形態は本発明の例示であり、本発明は上記実施の形態に限定されない。
【００５７】
【発明の効果】
以上に説明したように、本発明によれば、色消しレンズを有する光ヘッドと、この光ヘッドを有する光ピックアップとを提供することができる。
【図面の簡単な説明】
【図１】
本発明に係る光ヘッドの第１の実施の形態を示す概略的な構成図である。
【図２】
図１中のレンズの特性を示す第１の説明図である。
【図３】
図１中のレンズの特性を示す第２の説明図である。
【図４】
図１の光ヘッドにおいて、色消しレンズおよび対物レンズの光軸ずれと波面収差との関係を示す特性図である。
【図５】
図１中の色消しレンズおよび対物レンズにおいて、光軸ずれが０．２ｍｍである場合における、レーザ光の同一位相の波面を示す第１の説明図であり、レーザ光の波長が４０４ｎｍであるときの概略的な波面図である。
【図６】
図１中の色消しレンズおよび対物レンズにおいて、光軸ずれが０．２ｍｍである場合における、レーザ光の同一位相の波面を示す第２の説明図であり、レーザ光の波長が４０５ｎｍであるときの概略的な波面図である。
【図７】
図１中の色消しレンズおよび対物レンズにおいて、光軸ずれが０．２ｍｍである場合における、レーザ光の同一位相の波面を示す第３の説明図であり、レーザ光の波長が４０６ｎｍであるときの概略的な波面図である。
【図８】
本発明に係る光ヘッドの第２の実施の形態を示す概略的な構成図である。
【図９】
図１の光ヘッドを有する光ピックアップを示す概略的な構成図である。
【図１０】
図８の光ヘッドを有する光ピックアップを示す概略的な構成図である。
【符号の説明】
３…ビームスプリッタ、４…半導体レーザ（レーザ）、５…コリメータレンズ、６…集光レンズ、８…光検出器、９…１／４波長板（λ／４波長板）、１１…凹レンズ、１２，１４，１６…凸レンズ、１３Ｔ，２３Ｔ…トラッキング・アクチュエータ、１５Ｆ，２５Ｆ…フォーカシング・アクチュエータ、１８，２８…第１のレンズホルダ、１９，２９…第２のレンズホルダ、２７…弾性部材、８０…光ディスク、８１…保護層、８２…ディスク基板、８５…記録面、１１０，１２０…光ヘッド、１１１，１２１…光ピックアップ、ＬＡ…光軸、ＬＢ…レーザ光、Ｓ１〜Ｓ７…屈折面。